(57)【特許請求の範囲】
【請求項１】
一方向に直行する他方向に分割可能に構成される外シートと、該外シートと同方向に分離可能な一対のシート片から構成される内シートとを備え、シート状食品を介して外シートと内シートとが重ね合わされた状態で、シート状食品を囲むように外シートと内シートとがシールされて形成される米飯加工食品用包装材において、
前記内シートは、他方向における両端部間の領域に、一対のシート片の端部同士が重なり合って形成された重合領域を備えており、
前記重合領域は、一方向に延びる第一重合領域と、該第一重合領域から他方向に突出するように形成された第二重合領域とから構成されており、
第二重合領域は、一方向における内シートの両端側の領域よりも中央側の領域に形成されることを特徴とする米飯加工食品用包装材。
【請求項２】
前記重合領域を形成する一対のシート片の各端部は、一方向に延びる第一端部を備えており、
重合領域を形成する一対のシート片の各端部のうち少なくとも一方の端部は、第一端部から他方向に突出するように形成された第二端部を備えることを特徴とする請求項１に記載の米飯加工食品用包装材。
【請求項３】
米飯加工食品を包装する際に、内シートにおける米飯加工食品の下方に配置される領域に前記第二重合領域を備えることを特徴とする請求項１又は２に記載の米飯加工食品用包装材。
【発明の詳細な説明】
【技術分野】
【０００１】
本発明は、例えばシート状の海苔などのシート状食品と、三角おにぎりなどの米飯加工食品とを分離した状態で包装可能に構成されると共に、食する際には、分離した状態で包装されている両者を合体して食せるよう構成される米飯加工食品用包装材に関する。
【背景技術】
【０００２】
コンビニエンスストア等で販売されているおにぎりは、外シートと内シートとの間にシート状の海苔を収納した包装材によって包装されている。具体的には、斯かる包装材として、一方向に分割可能に構成される外シートと、外シートと同方向に分割可能に構成される内シートとを備え、シート状の海苔を介して外シートと内シートとが重ね合わされた状態で海苔を囲むように外フィルムと内フィルムとがシールされて形成されたものが知られている（特許文献１，２参照）。
【０００３】
前記外シートは、おにぎりを包み込むことができる大きさの略長方形状に形成された外シート本体と、該外シート本体の中央部に長手方向に延びるように配置されたカットテープとを備えている。また、外シートは、外シート本体の長手方向の一端部に長手方向に延びる一対の切り込み（以下、切込部とも記す）を備え、該一対の切込部の各一端部が外シートの端縁と接するように形成されている。これにより、一対の切込部の間の領域が他の領域から分離されるため、一対の切込部の間に指などで摘むことが可能な摘み部が形成される。一方、カットテープは、一対の切込部の間に一端部が位置するように構成される。つまり、カットテープの一端部は、摘み部の内側に位置する。
【０００４】
前記内シートは、外シートと略同一形状となるように形成されている。また、内シートは、幅方向に分離可能な一対のシート片から構成されている。該一対のシート片は、内シートの幅方向における中央側に位置する端部（以下、内側端部とも記す）同士が外シートのカットテープと重なる位置で一方向に沿って重なるように構成されている。そして、一対のシート片が内シートの幅方向で分離することで内シートが分割される。
【０００５】
斯かる包装材を用いておにぎりを包装する際には、おにぎりと海苔との間に内シートが介在するようにおにぎりを包装する。これにより、おにぎりと海苔とが直に接することがないため、おにぎりからの湿気によって海苔が湿気ってしまうのが抑制される。
【０００６】
また、斯かる包装材を用いて包装されたおにぎりを食する際には、摘み部を摘んで外シートの長手方向に沿って引っ張ることで、一対の切込部の各他端部を起点に、外シートがカットテープに沿って切断される。これにより、一対の切込部の各他端部を起点として長手方向に延びる一対の切断線間の領域が他の領域から分離され、外シートが幅方向に分割される。そして、２つに分割された外シートを幅方向に離間させるように内シートと共に引っ張ることで、内シートを構成する一対のシート片が分離して内シートが分割されると共に海苔とおにぎりとの間から引き抜かれる。これにより、海苔とおにぎりとが一体となった状態でおにぎりを食することが可能となる。
【先行技術文献】
【特許文献】
【０００７】
【特許文献１】特開２０１０−２１５２９２号公報
【特許文献２】特開２００７−２５２３１６号公報
【発明の概要】
【発明が解決しようとする課題】
【０００８】
しかしながら、上記のような包装材を用いておにぎりを包装した際には、一対のシート片の内側端部同士が重なる領域では、おにぎりの湿気が一対のシート片の内側端部同士の間を通って外シートと内シートとの間の空間（即ち、海苔を収容した空間）に侵入するため、海苔が湿気ってしまう虞がある。
【０００９】
そこで、本発明は、外シートと内シートとの間に収容されたシート状食品が湿気ってしまうのを抑制することができる米飯加工食品用包装材を提供することを課題とする。
【課題を解決するための手段】
【００１０】
本発明に係る米飯加工食品用包装材は、一方向に直行する他方向に分割可能に構成される外シートと、該外シートと同方向に分離可能な一対のシート片から構成される内シートとを備え、シート状食品を介して外シートと内シートとが重ね合わされた状態で、シート状食品を囲むように外シートと内シートとがシールされて形成される米飯加工食品用包装材において、前記内シートは、他方向における両端部間の領域に、一対のシート片の端部同士が重なり合って形成された重合領域を備えており、前記重合領域は、一方向に延びる第一重合領域と、該第一重合領域から他方向に突出するように形成された第二重合領域とから構成されており、第二重合領域は、一方向における内シートの両端側の領域よりも中央側の領域に形成されることを特徴とする。
【００１１】
斯かる構成によれば、他方向における重合領域の両端部間の間隔（以下、重合間隔とも記す）は、一方向における内シートの両端側の領域よりも中央側の領域の方が広くなるように構成されるため、米飯加工食品を包装した際に、米飯加工食品の湿気が内シートと外シートとの間の空間（以下、シート状食品の収容空間とも記す）へ侵入するのを抑制することができる。
【００１２】
具体的には、重合領域では、一対のシート片の端部（以下、内側端部とも記す）同士が重なり合っているため、本発明に係る米飯加工食品用包装材を用いて米飯加工食品を包装した際に、内シートの一方の面に接する空間（米飯加工食品側の空間）と他方の面に接する空間（シート状食品の収容空間）とが内側端部同士の間に形成される隙間を介して連通した状態となり易い。斯かる状態では、米飯加工食品の湿気が内側端部同士の間を通ってシート状食品の収容空間へ侵入し易くなる。特に、一方向における内シートの両端部よりも中央側の領域では、このような湿気の侵入が生じやすい。
【００１３】
これに対し、一方向における内シートの両端部よりも中央側の領域において重合間隔が広くなるように構成されることで、重合間隔が広い領域では、内側端部同士の間に入り込んだ米飯加工食品の湿気がシート状食品の収容空間へ達するまでの経路（以下、湿気の流路とも記す）が長くなる。また、重合間隔が広い領域では、内側端部同士の間に、内シートの一方の面に接する空間（米飯加工食品側の空間）と他方の面に接する空間（シート状食品の収容空間）とを連通させるような隙間（即ち、湿気の流路）が形成され難くなる。このため、米飯加工食品の湿気が収容空間へ侵入するのを抑制することができる。
【００１４】
前記重合領域は、一方向に延びる第一重合領域と、該第一重合領域から他方向に突出するように形成された第二重合領域とから構成される。
【００１５】
斯かる構成によれば、重合領域は、一方向に延びる第一重合領域と、該第一重合領域から他方向に突出するように形成された第二重合領域とから構成されるため、第二重合領域では、第一重合領域よりも重合間隔が広くなる。このため、第二重合領域では、シート状食品の収容空間へ達する湿気の流路が長くなる。また、第二重合領域では、内側端部同士の間に、内シートの一方の面に接する空間（米飯加工食品側の空間）と他方の面に接する空間（シート状食品の収容空間）とを連通させるような隙間（即ち、湿気の流路）が形成され難くなる。このため、米飯加工食品の湿気が収容空間へ侵入するのを抑制することができる。また、収容空間への湿気の流入を抑制したい位置に第二重合領域を設けることで、所望する位置における湿気の流入を効果的に抑制することができる。
【００１６】
前記重合領域を形成する一対のシート片の各端部は、一方向に延びる第一端部を備えており、重合領域を形成する一対のシート片の各端部のうち少なくとも一方の端部は、第一端部から他方向に突出するように形成された第二端部を備えることが好ましい。
【００１７】
斯かる構成によれば、重合領域を形成する一対のシート片の各端部（各内側端部）は、一方向に延びる第一端部を備えており、重合領域を形成する一対のシート片の各端部のうち少なくとも一方の端部は、第一端部から他方向に突出するように形成された第二端部を備えることで、各内側端部同士を重ね合わせて重合領域を形成した際に、第一端部を備える部分によって第一重合領域が形成され、第二端部を備える部分によって第二重合領域が形成される。このため、収容空間への湿気の流入を抑制したい位置に第二端部を設けることで、所望する位置における湿気の流入を効果的に抑制することができる。
【００１８】
米飯加工食品を包装する際に、内シートにおける米飯加工食品の下方に配置される領域に前記第二重合領域を備えることが好ましい。
【００１９】
斯かる構成によれば、本発明に係る米飯加工食品用包装材で米飯加工食品を包装した際に、内シートにおける米飯加工食品の下方に配置される領域（以下、下方領域とも記す）に米飯加工食品の重量が加わることになる（密着した状態となる）。このため、重合領域の少なくとも一部が下方領域となるように米飯加工食品を包装する場合には、重合領域における米飯加工食品の下方に位置する部分から米飯加工食品の湿気がシート状食品の収容空間へ侵入しやすくなる。
【００２０】
これに対し、下方領域に第二重合領域を備えることで、下方領域における湿気の流路が長くなり、また、下方領域において内側端部同士の間に、内シートの一方の面に接する空間（米飯加工食品側の空間）と他方の面に接する空間（シート状食品の収容空間）とを連通させるような隙間（即ち、湿気の流路）が形成され難くなる。このため、下方領域におけるシート状食品の収容空間への湿気の侵入を効果的に抑制することができる。
【発明の効果】
【００２１】
以上のように、本発明によれば、外シートと内シートとの間に収容されたシート状食品が湿気ってしまうのを抑制することができる。
【図面の簡単な説明】
【００２２】
【図１】本実施形態に係る米飯加工食品用包装材の各構成を示した斜視図。
【図２】同実施形態に係る米飯加工食品用包装材の内シートを示した斜視図。
【図３】他の実施形態に係る米飯加工食品用包装材の内シートを示した平面図。
【図４】更に他の実施形態に係る米飯加工食品用包装材の内シートを示した平面図。
【発明を実施するための形態】
【００２３】
以下に、本発明に係る米飯加工食品用包装材の実施形態について、図１，２に基づいて説明する。以下では、「米飯加工食品用包装材」を単に「包装材」と称することがある。また、以下の説明における一方向（第一方向）は、各図における座標軸のｘ軸に沿った方向であり、他方向（第二方向）は、各図における座標軸のｙ軸に沿った方向である。
【００２４】
本実施形態に係る包装材１は、図１に示すように、米飯加工食品Ａと接する内シート２と、該内シート２に重ね合わされる外シート３とを備える。そして、内シート２および外シート３は、米飯加工食品Ａに巻くシート状食品Ｂを介して重ね合された状態で、シート状食品Ｂを囲むように端部同士がシールされる。これにより、包装材１は、米飯加工食品Ａとシート状食品Ｂとを分離した状態で、米飯加工食品Ａを包装することが可能となる。なお、米飯加工食品Ａには、三角形状や樽形状などに握られた各種おにぎりの他、鮨なども含まれる。また、シート状食品Ｂには、シート状の海苔の他、畳鰯なども含まれる。
【００２５】
外シート３は、米飯加工食品Ａを包み込むことが可能な大きさの外シート本体３ａと、該外シート本体３ａに積層される一対のカットテープ３ｂ，３ｂとから構成される。外シート本体３ａは、一方向（以下、第一方向とも記す）が長手となるように（本実施形態では、長方形状に）形成され、該第一方向に直行する他方向（以下、第二方向とも記す）が幅方向となっている。一方、カットテープ３ｂは、第二方向における外シート本体３ａの中央部に第一方向に沿って配置される。
【００２６】
また、外シート３は、第一方向における外シート本体３ａの一端部に第一方向に延びるように形成された一対の切込部３ｃ，３ｃを備える。一対の切込部３ｃ，３ｃは、第二方向に間隔を空けて形成され、一対のカットテープ３ｂ，３ｂの各一端部が一対の切込部３ｃ，３ｃの間に位置するように構成される。また、一対の切込部３ｃ，３ｃは、それぞれの一端部が外シート本体３ａの端縁と接するように形成される。これにより、外シート３における一対の切込部３ｃ，３ｃの間の領域が他の領域から分離される。これにより、一対の切込部３ｃ，３ｃの間の領域に指などで摘むことができる摘み部３ｄが形成される。
【００２７】
そして、摘み部３ｄを摘んで第一方向に沿って引っ張ることで、一対の切込部３ｃ、３ｃの各他端部を起点に外シート３を第一方向に沿って切断することが可能となる。そして、外シート３が切断されることで、一対の切込部３ｃ，３ｃの各他端部を起点とする一対の切断線間の帯状の領域が他の領域から分離されるため、外シート３が第二方向に分割可能となる。
【００２８】
内シート２は、外シート３と略同一形状（具体的には、第一方向が長手となる長方形状）に形成される。また、内シート２は、外シート３と同方向、即ち、第二方向に分割可能に構成される。具体的には、内シート２は、第二方向に分離可能に構成された一対のシート片２ａ，２ｂから構成され、該一対のシート片２ａ，２ｂが分離することで分割可能に構成される。
【００２９】
一方のシート片（以下では、第一シート片とも記す）２ａは、図２に示すように、第一方向が長手となる長方形状に形成される。また、第一シート片２ａは、第二方向における一端部（以下、内側端部とも記す）２ａ１が第二方向における内シート２の中央側に位置し、第二方向における他端部（以下、外側端部とも記す）２ａ２が第二方向における内シート２の一端部（以下、内シート第一側端部とも記す）２１を構成する。
【００３０】
第一シート片２ａの内側端部２ａ１は、第一方向に延びる第一端部２ａ３を二つ備える。二つの第一端部２ａ３，２ａ３は、第一方向に間隔を空けて形成される。具体的には、二つの第一端部２ａ３，２ａ３は、第一方向における内シート２の中央部よりも両端側に形成される。
【００３１】
また、第一シート片２ａの内側端部２ａ１は、各第一端部２ａ３，２ａ３から第二方向における内シート２の他端部（以下、内シート第二側端部とも記す）２２側に突出するように形成された第二端部２ａ４を備える。該第二端部２ａ４は、二つの第一端部２ａ３，２ａ３の間（具体的には、第一方向における内シート２の中央部）に形成される。また、第二端部２ａ４は、各第一端部２ａ３，２ａ３と連続的に形成される。また、第二端部２ａ４は、各第一端部２ａ３，２ａ３から内シート第二側端部２２側へ向かって先細りとなるように（具体的には、三角形状に）形成される。
【００３２】
他方のシート片（以下では、第二シート片とも記す）２ｂは、第一方向が長手となる長方形状に形成される。また、第二シート片２ｂは、第二方向における一端部（以下、内側端部とも記す）２ｂ１が第二方向における内シート２の中央側に位置し、第二方向における他端部（以下、外側端部とも記す）２ｂ２が内シート第二側端部２２を構成する。
【００３３】
第二シート片２ｂの内側端部２ｂ１は、第一方向に延びる第一端部２ｂ３を二つ備える。二つの第一端部２ｂ３，２ｂ３は、第一方向に間隔を空けて形成される。具体的には、二つの第一端部２ｂ３，２ｂ３は、第一方向における内シート２の中央部よりも両端側に形成される。
【００３４】
また、第二シート片２ｂの内側端部２ｂ１は、各第一端部２ｂ３，２ｂ３から第二方向（具体的には、内シート第一側端部２１側）に突出するように形成された第二端部２ｂ４を備える。該第二端部２ｂ４は、二つの第一端部２ｂ３，２ｂ３の間（具体的には、第一方向における内シート２の中央部）に形成される。また、第二端部２ｂ４は、各第一端部２ｂ３，２ｂ３と連続的に形成される。また、第二端部２ｂ４は、各第一端部２ｂ３，２ｂ３から内シート第一側端部２１側へ向かって先細りとなるように（具体的には、三角形状に）形成される。
【００３５】
また、内シート２は、第二方向における両端部２１，２２間の領域に、一対のシート片２ａ，２ｂの内側端部２ａ１，２ｂ１同士が重なり合って形成された重合領域２ｃを備える。該重合領域２ｃは、第二方向における内シート２の中央部において第一方向に延びるように（具体的には、帯状に）形成される。また、重合領域２ｃは、第一方向における内シート２の両端間の全域に亘って形成される。また、重合領域２ｃは、第二方向における両端部間の間隔（以下、重合間隔とも記す）が第一方向における内シート２の両端側の領域よりも中央側の領域で広くなるように形成される。また、重合領域２ｃは、一対のシート片２ａ，２ｂの各第一端部２ａ３，２ｂ３同士が重なり合って形成された第一重合領域２ｃ１と、一対のシート片２ａ，２ｂの各第二端部２ａ４，２ｂ４同士が重なり合って形成された第二重合領域２ｃ２とから構成される。
【００３６】
具体的には、重合領域２ｃは、第一方向に延びる（具体的には、帯状の）第一重合領域２ｃ１を二つ備える。二つの第一重合領域２ｃ１，２ｃ１は、第一方向に間隔を空けて形成される。具体的には、二つの第一重合領域２ｃ１，２ｃ１は、第一方向における内シート２の中央部よりも両端側に形成される。また、第一重合領域２ｃ１は、重合間隔Ｗ１が第一方向において略同一となるように形成される。
【００３７】
また、重合領域２ｃは、各第一重合領域２ｃ１，２ｃ１から第二方向に突出するように形成された第二重合領域２ｃ２を備える。該第二重合領域２ｃ２は、二つの第一重合領域２ｃ１，２ｃ１の間に形成される。また、第二重合領域２ｃ２は、各第一重合領域２ｃ１と連続的に形成される。また、第二重合領域２ｃ２は、包装材１を用いて米飯加工食品Ａを包装する際に内シート２における米飯加工食品Ａの下方に配置される領域に形成される。具体的には、第二重合領域２ｃ２は、第一方向における内シート２の中央部に形成される。
【００３８】
また、第二重合領域２ｃ２は、各第一重合領域２ｃ１，２ｃ１よりも内シート第一側端部２１側、及び、内シート第二側端部２２側へ向かって突出する（具体的には、先細りとなる）ように（具体的には、三角形状に）形成される。つまり、第二重合領域２ｃ２の重合間隔Ｗ２は、第一重合領域２ｃ１の重合間隔Ｗ１よりも広くなるように構成される。また、第二重合領域２ｃ２は、重合間隔Ｗ２が第一方向における第二重合領域２ｃ２の両端部から中央部に向かうに連れて連続的に広くなる（即ち、第一方向の中央部で最も広くなる）ように形成される。
【００３９】
以上のように、本発明に係る米飯加工食品用包装材は、外シートと内シートとの間に収容されたシート状食品が湿気ってしまうのを抑制することができる。
【００４０】
即ち、第二方向における重合領域２ｃの両端部間の間隔（重合間隔）は、第一方向における内シート２の両端側の領域よりも中央側の領域の方が広くなるように構成されるため、米飯加工食品Ａを包装した際に、米飯加工食品Ａの湿気が内シート２と外シート３との間の空間（シート状食品Ｂの収容空間）へ侵入するのを抑制することができる。
【００４１】
具体的には、重合領域２ｃでは、一対のシート片２ａ，２ｂの端部（内側端部）２ａ１，２ｂ１同士が重なり合っているため、本実施形態に係る包装材１を用いて米飯加工食品Ａを包装した際に、内シート２の一方の面に接する空間（米飯加工食品Ａ側の空間）と他方の面に接する空間（シート状食品Ｂの収容空間）とが内側端部２ａ１，２ｂ１同士の間に形成される隙間を介して連通した状態となり易い。斯かる状態では、米飯加工食品Ａの湿気が内側端部２ａ１，２ｂ１同士の間を通ってシート状食品Ｂの収容空間へ侵入し易くなる。特に、第一方向における内シート２の両端部よりも中央側の領域では、このような湿気の侵入が生じやすい。
【００４２】
これに対し、第一方向における内シート２の両端部よりも中央側の領域において重合間隔が広くなるように構成されることで、重合間隔が広い領域では、内側端部２ａ１，２ｂ１同士の間に入り込んだ米飯加工食品Ａの湿気がシート状食品Ｂの収容空間へ達するまでの経路（以下、湿気の流路とも記す）が長くなる。また、重合間隔が広い領域では、内側端部２ａ１，２ｂ１同士の間に、内シート２の一方の面に接する空間（米飯加工食品Ａ側の空間）と他方の面に接する空間（シート状食品Ｂの収容空間）とを連通させるような隙間（即ち、湿気の流路）が形成され難くなる。このため、米飯加工食品Ａの湿気が収容空間へ侵入するのを抑制することができる。
【００４３】
また、重合領域２ｃは、第一方向に延びる第一重合領域２ｃ１と、該第一重合領域２ｃ１から第二方向に突出するように形成された第二重合領域２ｃ２とから構成されるため、第二重合領域２ｃ２では、第一重合領域２ｃ１よりも重合間隔が広くなる。このため、第二重合領域２ｃ２では、シート状食品Ｂの収容空間へ達する湿気の流路が長くなる。また、第二重合領域２ｃ２では、内側端部２ａ１，２ｂ１同士の間に、内シート２の一方の面に接する空間（米飯加工食品Ａ側の空間）と他方の面に接する空間（シート状食品Ｂの収容空間）とを連通させるような隙間（即ち、湿気の流路）が形成され難くなる。このため、米飯加工食品Ａの湿気が収容空間へ侵入するのを抑制することができる。また、収容空間への湿気の流入を抑制したい位置に第二重合領域２ｃ２を設けることで、所望する位置における湿気の流入を効果的に抑制することができる。
【００４４】
また、重合領域２ｃを形成する一対のシート片２ａ，２ｂの各端部（各内側端部）２ａ１，２ｂ１が第一方向に延びる第一端部２ａ３，２ｂ３を備えており、重合領域２ｃを形成する一対のシート片２ａ，２ｂの各端部（各内側端部）２ａ１，２ｂ１のうちの少なくとも一方の内側端部２ａ１（又は、他方の内側端部２ｂ１）が第一端部２ａ３（又は、第一端部２ｂ３）から第二方向に突出するように形成された第二端部２ａ４（又は、第二端部２ｂ４）を備えることで、各内側端部２ａ１，２ｂ１同士を重ね合わせて重合領域２ｃを形成した際に、第一端部２ａ３，２ｂ３を備える部分によって第一重合領域２ｃ１が形成され、第二端部２ａ４（又は、第二端部２ｂ４）を備える部分によって第二重合領域２ｃ２が形成される。このため、収容空間への湿気の流入を抑制したい位置に第二端部２ａ４（又は、第二端部２ｂ４）を設けることで、所望する位置における湿気の流入を効果的に抑制することができる。
【００４５】
また、本発明に係る包装材１で米飯加工食品Ａを包装した際に、内シート２における米飯加工食品Ａの下方に配置される領域（以下、下方領域とも記す）に米飯加工食品Ａの重量が加わることになる（密着した状態となる）。このため、重合領域２ｃの少なくとも一部が下方領域となるように米飯加工食品Ａを包装する場合には、重合領域２ｃにおける米飯加工食品Ａの下方に位置する部分から米飯加工食品Ａの湿気がシート状食品Ｂの収容空間へ侵入しやすくなる。
【００４６】
これに対し、下方領域に第二重合領域２ｃ２を備えることで、下方領域における湿気の流路が長くなり、また、下方領域において内側端部２ａ１，２ｂ１同士の間に、内シート２の一方の面に接する空間（米飯加工食品Ａ側の空間）と他方の面に接する空間（シート状食品Ｂの収容空間）とを連通させるような隙間（即ち、湿気の流路）が形成され難くなる。このため、下方領域におけるシート状食品Ｂの収容空間への湿気の侵入を効果的に抑制することができる。
【００４７】
また、第二重合領域２ｃ２では、米飯加工食品Ａの重量が加わると共に重合間隔が広くなるため、一対のシート片２ａ，２ｂに対して分離する方向に力を加えた際に重合領域２ｃに生じる抵抗（内側端部２ａ１，２ｂ１同士の間に生じる抵抗）は、第一重合領域２ｃ１よりも第二重合領域２ｃ２の方が大きくなる。これにより、一対のシート片２ａ，２ｂの分離が必要以上にスムーズに行われてしまい、米飯加工食品Ａが包装材１から抜け落ちてしまうのを防止することができる。
【００４８】
なお、本発明に係る包装材１は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４９】
例えば、上記実施形態では、重合領域２ｃが二つの第一重合領域２ｃ１，２ｃ１と第二重合領域２ｃ２とから構成され、第二重合領域２ｃ２において重合間隔が広くなるように構成されているが、これに限定されるものではなく、例えば、図３に示すように、第一方向における内シート２の両端部から中央側に向かうに連れて重合間隔が連続的に広がるように重合領域２ｃ’が形成されてもよい。斯かる場合には、第一シート片２ａの内側端部２ａ１’は、その全体が内シート第二側端部２２側へ膨出するように形成され、第二シート片２ｂの内側端部２ｂ１’は、その全体が内シート第二側端部２２側へ膨出するように形成される。
【００５０】
また、上記実施形態では、重合領域２ｃが二つの第一重合領域２ｃ１，２ｃ１と第二重合領域２ｃ２とから構成されているが、これに限定されるものではなく、例えば、図４に示すように、一つの第一重合領域２ｃ１と一つの第二重合領域２ｃ２とから構成される重合領域２ｃ’’であってもよい。斯かる場合には、第一シート片２ａの内側端部２ａ１’’は、一つの第一端部２ａ３と一つの第二端部２ａ４とから構成され、第二シート片２ｂの内側端部２ｂ１’’は、一つの第一端部２ｂ３と一つの第二端部２ｂ４とから構成される。
【００５１】
また、上記実施形態では、一対のシート片２ａ，２ｂにおける各内側端部２ａ１，２ｂ１の各第二端部２ａ４，２ｂ４は、先細りとなるように構成されているが、これに限定されるものではなく、例えば、先細りしない形状（具体的には、矩形状や台形状等）に形成されてもよい。また、上記実施形態では、各第二端部２ａ４，２ｂ４は、三角形状に形成されているが、これに限定されるものではなく、例えば、円弧状に形成されてもよい。
【００５２】
また、上記実施形態では、一対のシート片２ａ，２ｂの各内側端部２ａ１，２ｂ１が各第二端部２ａ４，２ｂ４を備えるように構成されているが、これに限定されるものではなく、第一シート片２ａ（又は、第二シート片２ｂ）の内側端部２ａ１（又は、内側端部２ｂ１）にのみ第二端部２ａ４（又は、第二端部２ｂ４）が形成されてもよい。
【符号の説明】
【００５３】
１…米飯加工食品用包装材、２…内シート、２ａ…第一シート片、２ａ１，２ｂ１…内側端部、２ａ３，２ａ３…第一端部、２ａ４，２ｂ４…第二端部、２ｂ…第二シート片、２ｂ３，２ｂ３…第一端部、２ｃ…重合領域、２ｃ１…第一重合領域、２ｃ２…第二重合領域、３…外シート、３ａ…外シート本体、３ｂ…カットテープ、３ｃ…切込部、３ｄ…摘み部、２１…内シート第一側端部、２２…内シート第二側端部、Ａ…米飯加工食品、Ｂ…シート状食品、Ｗ１，Ｗ２…重合間隔
【図１】
0006548438.tif 000002
【図２】
0006548438.tif 000003
【図３】
0006548438.tif 000004
【図４】
0006548438.tif 000005